(57)【要約】【課題】拡散コードなどの無線パラメータが周辺基地局間において重複する場合でも、移動機における無線信号の復調誤りを防止できる移動通信システム、基地局及び送信タイミング制御方法を提供する。【解決手段】本発明に係る移動通信システムは、基地局が形成するサービスエリアに共通制御チャネルを送信する共通制御チャネル送信部と、基地局２０１の周辺に位置する基地局２００，２０Ｘから送信される周辺共通制御チャネルを受信する共通制御チャネル受信部と、共通制御チャネル受信部によって受信された周辺共通制御チャネルの基地局２０１における受信タイミングを検出する受信タイミング検出部と、受信タイミング検出部によって検出された受信タイミングに基づいて、基地局２０１が送信する共通制御チャネルの送信タイミングを、周辺共通制御チャネルの基地局２０１における受信タイミングと異なるように制御する送信タイミング制御部とを備える。【選択図】図８
2012085041.tif 000002
【特許請求の範囲】
【請求項１】
移動通信事業者または前記移動通信事業者が提供する通信サービスのユーザが管理する基地局から送信される共通制御チャネルの送信タイミングを制御する移動通信システムであって、
前記基地局が形成するサービスエリアに前記共通制御チャネルを送信する共通制御チャネル送信部と、
前記基地局の周辺に位置する周辺基地局から送信される周辺共通制御チャネルを受信する共通制御チャネル受信部と、
前記共通制御チャネル受信部によって受信された前記周辺共通制御チャネルの前記基地局における受信タイミングを検出する受信タイミング検出部と、
前記受信タイミング検出部によって検出された前記受信タイミングに基づいて、前記基地局が送信する前記共通制御チャネルの送信タイミングを、前記受信タイミングと異なるように制御する送信タイミング制御部と
を備え、
前記送信タイミング制御部は、複数の前記周辺基地局によって送信される前記周辺共通制御チャネルのうち、前記基地局と同一の無線パラメータが割り当てられている周辺基地局の周辺共通制御チャネルの受信タイミングに対して、前記共通制御チャネルの送信タイミングが異なるように制御する移動通信システム。
【請求項２】
前記送信タイミング制御部は、前記無線パラメータとして拡散コード、周波数またはセル識別子の少なくとも何れかを含む請求項１に記載の移動通信システム。
【請求項３】
前記送信タイミング制御部は、前記基地局と同一の無線パラメータが割り当てられている周辺基地局のうち、前記周辺共通制御チャネルの前記基地局における受信レベルが高い周辺基地局によって送信される前記周辺共通制御チャネルの受信タイミングに対して、他の周辺共通制御チャネルよりも優先して前記共通制御チャネルの送信タイミングが異なるように制御する請求項１に記載の移動通信システム。
【請求項４】
前記受信タイミング検出部は、
前記共通制御チャネル受信部によって前記周辺共通制御チャネルを受信することができない周辺基地局である受信不可基地局に対して、前記受信不可基地局が送信する周辺共通制御チャネルの送信タイミングを取得し、
取得した前記送信タイミングを、前記受信不可基地局によって送信される前記周辺共通制御チャネルの前記基地局における受信タイミングとして検出する請求項１に記載の移動通信システム。
【請求項５】
共通制御チャネルの送信タイミングを制御する基地局であって、
前記基地局が形成するサービスエリアに前記共通制御チャネルを送信する共通制御チャネル送信部と、
前記基地局の周辺に位置する周辺基地局から送信される周辺共通制御チャネルを受信する共通制御チャネル受信部と、
前記共通制御チャネル受信部によって受信された前記周辺共通制御チャネルの前記基地局における受信タイミングを検出する受信タイミング検出部と、
前記受信タイミング検出部によって検出された前記受信タイミングに基づいて、前記基地局が送信する前記共通制御チャネルの送信タイミングを、前記受信タイミングと異なるように制御する送信タイミング制御部と
を備え、
前記送信タイミング制御部は、複数の前記周辺基地局によって送信される前記周辺共通制御チャネルのうち、前記基地局と同一の無線パラメータが割り当てられている周辺基地局の周辺共通制御チャネルの受信タイミングに対して、前記共通制御チャネルの送信タイミングが異なるように制御する基地局。
【請求項６】
移動通信事業者または前記移動通信事業者が提供する通信サービスのユーザが管理する基地局から送信される共通制御チャネルの送信タイミングを制御する送信タイミング制御方法であって、
前記基地局の周辺に位置する周辺基地局から送信される周辺共通制御チャネルを受信するステップと、
受信された前記周辺共通制御チャネルの前記基地局における受信タイミングを検出するステップと、
検出された前記受信タイミングに基づいて、前記基地局が送信する前記共通制御チャネルの送信タイミングを、前記受信タイミングと異なるように制御するステップと
前記基地局が形成するサービスエリアに前記共通制御チャネルを送信するステップと
を備え、
前記共通制御チャネルの送信タイミングを制御するステップでは、複数の前記周辺基地局によって送信される前記周辺共通制御チャネルのうち、前記基地局と同一の無線パラメータが割り当てられている周辺基地局の周辺共通制御チャネルの受信タイミングに対して、前記共通制御チャネルの送信タイミングが異なるように制御する送信タイミング制御方法。
【発明の詳細な説明】
【技術分野】
【０００１】
本発明は、移動通信事業者または移動通信事業者が提供する通信サービスのユーザが管理する基地局から送信される共通制御チャネルの送信タイミングを制御する移動通信システム、基地局及び送信タイミング制御方法に関する。
【背景技術】
【０００２】
従来、移動通信システムでは、移動局から規則性なく発生する通信要求の内容に応じたサービス品質を確保する必要がある。そこで、移動通信事業者は、基地局の設置に際して、サービスエリアの大きさや、当該サービスエリア内で発生するトラフィックを予測した上で、基地局の設置場所や構成、基地局において使用される拡散コードなどの無線パラメータを、シミュレーションなどの手段を用いて設計することが一般的である（例えば、非特許文献１）。
【０００３】
また、近年では、移動通信事業者によって設置される公衆通信向けの一般基地局に加え、フェムトセルなど、移動局のユーザが自宅などに設置する小型基地局（例えば、Home NodeB）が増加している（例えば、非特許文献２参照）。移動通信事業者が上述した無線パラメータを設計する際には、このような小型基地局の設置場所なども考慮する必要がある。
【０００４】
しかしながら、集合住宅など、複数の世帯が密集するエリアでは、小型基地局も密集して設置されることが予想される。このような場合、上述したような従来の設計方法を適用することは、設計作業やその評価が複雑となり過ぎるため現実的でない。
【０００５】
このような課題を解決するため、例えば、W-CDMAでは、周辺基地局から送信される共通制御チャネルを基地局が受信することによって、周辺基地局が使用している拡散コードを自動的に検出する方法が提案されている。当該基地局は、検出した拡散コードとは異なる拡散コードを自局に自動的に割り当てる。
【０００６】
これにより、無線パラメータの設計及び評価に必要な工数を削減できる。なお、このような拡散コードの自動割り当てでは、小型基地局による自律的な拡散コードの割当状況が、一般基地局の無線パラメータの設計及び評価に影響を与えないようにするため、一定の拡散コードの空間を小型基地局専用として割り当てることが一般的である。
【先行技術文献】
【非特許文献】
【０００７】
【非特許文献１】森、他、２００１年信学総大、B-5-34、「受信品質測定システムを用いたW-CDMAエリア評価実験」、２００１年３月
【非特許文献２】3GPP TS 22.220, Service requirements for Home NodeBs (UMTS) and Home eNodeBs (LTE)
【発明の概要】
【発明が解決しようとする課題】
【０００８】
しかしながら、上述したような従来の方法では、次のような問題が発生する。すなわち、使用可能な拡散コードの総数は、移動通信システム内において有限であるため、小型基地局専用として割り当て可能な拡散コードの空間は限定される。
【０００９】
従って、小型基地局が一定のエリア内に密集して設置された場合、小型基地局が使用する拡散コードが、周辺基地局間において重複する可能性が高まる。周辺基地局間において使用する拡散コードが重複すると、当該エリアに位置する移動局は、無線信号を正常に復調できず復調誤りを発生する可能性がある。なお、LTEシステムの場合にも、Physical Cell Identity（PCI）が重複することによって、同様の問題が発生し得る。
【００１０】
そこで、本発明は、このような状況に鑑みてなされたものであり、拡散コードなどの無線パラメータが周辺基地局間において重複する場合でも、移動局における無線信号の復調誤りを防止できる移動通信システム、基地局及び送信タイミング制御方法の提供を目的とする。
【課題を解決するための手段】
【００１１】
本発明の特徴に係る移動通信システムは、移動通信事業者または前記移動通信事業者が提供する通信サービスのユーザが管理する基地局から送信される共通制御チャネルの送信タイミングを制御する。移動通信システムは、前記基地局が形成するサービスエリアに前記共通制御チャネルを送信する共通制御チャネル送信部と、前記基地局の周辺に位置する周辺基地局から送信される周辺共通制御チャネルを受信する共通制御チャネル受信部と、前記共通制御チャネル受信部によって受信された前記周辺共通制御チャネルの前記基地局における受信タイミングを検出する受信タイミング検出部と、前記受信タイミング検出部によって検出された前記受信タイミングに基づいて、前記基地局が送信する前記共通制御チャネルの送信タイミングを、前記受信タイミングと異なるように制御する送信タイミング制御部とを備える。前記送信タイミング制御部は、複数の前記周辺基地局によって送信される前記周辺共通制御チャネルのうち、前記基地局と同一の無線パラメータが割り当てられている周辺基地局の周辺共通制御チャネルの受信タイミングに対して、他の周辺共通制御チャネルよりも優先して前記共通制御チャネルの送信タイミングが異なるように制御する。
【００１２】
上述した本発明の特徴において、前記送信タイミング制御部は、前記無線パラメータとして拡散コード、周波数またはセル識別子の少なくとも何れかを含んでもよい。
【００１３】
上述した本発明の特徴において、前記送信タイミング制御部は、前記基地局と同一の無線パラメータが割り当てられている周辺基地局のうち、前記周辺共通制御チャネルの前記基地局における受信レベルが高い周辺基地局によって送信される前記周辺共通制御チャネルの受信タイミングに対して、前記共通制御チャネルの送信タイミングが異なるように制御してもよい。
【００１４】
上述した本発明の特徴において、前記受信タイミング検出部は、前記共通制御チャネル受信部によって前記周辺共通制御チャネルを受信することができない周辺基地局である受信不可基地局に対して、前記受信不可基地局が送信する周辺共通制御チャネルの送信タイミングを取得し、取得した前記送信タイミングを、前記受信不可基地局によって送信される前記周辺共通制御チャネルの前記基地局における受信タイミングとして検出してもよい。
【００１５】
本発明の特徴に係る基地局は、共通制御チャネルの送信タイミングを制御する。基地局は、前記基地局が形成するサービスエリアに前記共通制御チャネルを送信する共通制御チャネル送信部と、前記基地局の周辺に位置する周辺基地局から送信される周辺共通制御チャネルを受信する共通制御チャネル受信部と、前記共通制御チャネル受信部によって受信された前記周辺共通制御チャネルの前記基地局における受信タイミングを検出する受信タイミング検出部と、前記受信タイミング検出部によって検出された前記受信タイミングに基づいて、前記基地局が送信する前記共通制御チャネルの送信タイミングを、前記受信タイミングと異なるように制御する送信タイミング制御部とを備え、前記送信タイミング制御部は、複数の前記周辺基地局によって送信される前記周辺共通制御チャネルのうち、前記基地局と同一の無線パラメータが割り当てられている周辺基地局の周辺共通制御チャネルの受信タイミングに対して、前記共通制御チャネルの送信タイミングが異なるように制御する。
【００１６】
本発明の特徴に係る送信タイミング制御方法は、移動通信事業者または前記移動通信事業者が提供する通信サービスのユーザが管理する基地局から送信される共通制御チャネルの送信タイミングを制御する。送信タイミング制御方法は、前記基地局の周辺に位置する周辺基地局から送信される周辺共通制御チャネルを受信するステップと、受信された前記周辺共通制御チャネルの前記基地局における受信タイミングを検出するステップと、検出された前記受信タイミングに基づいて、前記基地局が送信する前記共通制御チャネルの送信タイミングを、前記受信タイミングと異なるように制御するステップと、前記基地局が形成するサービスエリアに前記共通制御チャネルを送信するステップとを備え、前記共通制御チャネルの送信タイミングを制御するステップでは、複数の前記周辺基地局によって送信される前記周辺共通制御チャネルのうち、前記基地局と同一の無線パラメータが割り当てられている周辺基地局の周辺共通制御チャネルの受信タイミングに対して、前記共通制御チャネルの送信タイミングが異なるように制御する。
【発明の効果】
【００１７】
本発明の特徴によれば、拡散コードなどの無線パラメータが周辺基地局間において重複する場合でも、移動局における無線信号の復調誤りを防止できる移動通信システム、基地局及び送信タイミング制御方法を提供することができる。
【図面の簡単な説明】
【００１８】
【図１】本発明の実施形態に係る移動通信システムの全体概略構成図である。
【図２】本発明の実施形態に係る基地局２０１の機能ブロック構成図である。
【図３】本発明の実施形態に係る基地局２０１が新たに設置された場合における移動通信システムの全体動作シーケンスを示す図である。
【図４】本発明の実施形態に係る基地局制御装置１００における共通制御チャネルの送信タイミングの決定動作フローを示す図である。
【図５】本発明の実施形態に係る共通制御チャネルの受信タイミング差の概念を示す図である。
【図６】本発明の実施形態に係る共通制御チャネルの受信タイミングの重複を回避する優先度の付与例を示す図である。
【図７】本発明の実施形態に係る共通制御チャネルの送信タイミングの選択概念を示す図である。
【図８】本発明の実施形態に係る基地局２０１に在圏している移動局３００が基地局２０１から送信された無線信号として検出するパス検出時間幅τ’の概念を示す図である。
【発明を実施するための形態】
【００１９】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきものである。また、図面相互間においても互いの寸法の関係や比率が異なる部分が含まれていることは勿論である。
【００２１】
（１）移動通信システムの全体概略構成
図１は、本実施形態に係る移動通信システムの全体概略構成図である。具体的には、図１は、移動通信システムにおける代表的な無線アクセスネットワークの構成例を示す。
【００２２】
図１に示す移動通信システムは、W-CDMAに準拠しており、基地局２００〜２０４は、基地局制御装置１００（RNC）と通信可能に接続されている。基地局制御装置１００は、基地局２００〜２０４に対し、当該基地局が移動局３００と無線通信を実行するために必要な無線パラメータの割り当てや、その管理などを実行する。また、基地局制御装置１００は、基地局２００〜２０４から送信される共通制御チャネルの送信タイミングを制御する。
【００２３】
基地局２００〜基地局２０２は、移動通信事業者が提供する通信サービスのユーザが管理する小型基地局（Home NodeB）である。基地局２００〜基地局２０２は、当該ユーザが管理するLocal Area Network（LAN）に共に設置され、FTTHやADSLを提供するアクセス回線事業者ネットワーク２０を介して、移動通信事業者ネットワーク１０上に設けられた基地局制御装置１００と接続される。移動通信事業者ネットワーク１０とアクセス回線事業者ネットワーク２０とよって移動通信ネットワーク３０が形成される。
【００２４】
移動通信事業者ネットワーク１０とアクセス回線事業者ネットワーク２０との境界には、Security Gateway（SGW）４００が設置される。ＳＧＷ４００は、他の通信ネットワークからの不正なアクセスに対して、移動通信事業者ネットワーク１０を保護するためにゲートウェイである。ＳＧＷ４００は、所定の認証手順によって正規と認められた移動通信事業者ネットワーク１０へのアクセスのみを許可する。
【００２５】
本実施形態では、基地局２００〜基地局２０２は、各々異なるユーザが所有しているものとする。このため、一方の基地局を管理するユーザの移動局は、他方の基地局に対する接続許可が与えられていない。一方、基地局２０３及び基地局２０４は、公衆通信向けの基地局（NodeB）であり、移動通信事業者ネットワーク１０上に設置されている。移動通信事業者のユーザの移動局であれば、特に制限なく基地局２０３及び基地局２０４に接続することができる。
【００２６】
基地局２０３及び基地局２０４は、セルＣ１を形成する一般基地局を構成する。一方、基地局２００〜基地局２０２は、セルＣ１よりもセルサイズが小さいセルＣ２を形成する。本実施形態において、基地局２００〜基地局２０２は、小型基地局を構成する。
【００２７】
（２）移動通信システムの機能ブロック構成
次に、本実施形態に係る移動通信システムの機能ブロック構成について説明する。具体的には、本実施形態において小型基地局を構成する基地局２０１の機能ブロック構成について説明する。図２は、基地局２０１の機能ブロック構成図である。なお、他の基地局（基地局２００，２０２〜２０４）も、基地局２０１と同様の構成を有する。
【００２８】
図２に示すように、基地局２０１は、共通制御チャネル送信部２１１、共通制御チャネル受信部２１３、受信タイミング検出部２１５及び送信タイミング制御部２１７を備える。
【００２９】
共通制御チャネル送信部２１１は、基地局２０１が形成するサービスエリア（セルＣ２）全体に共通制御チャネルを送信する。本実施形態では、共通制御チャネルとして共通パイロットチャネル（Common Pilot Channel（CPICH））が用いられる。なお、共通制御チャネルとは、当該サービスエリア（セルＣ２）全体及び周辺基地局において受信可能な制御用のチャネルである。
【００３０】
共通制御チャネル受信部２１３は、基地局２０１の周辺に位置する周辺基地局（例えば、基地局２００及び基地局２０３）から送信される共通制御チャネル（周辺共通制御チャネル）を受信する。なお、周辺基地局とは、基地局２０１が影響を受ける可能性がある共通制御チャネルを送信する基地局を意味し、必ずしも基地局２０１が常時受信できる共通制御チャネルを送信する基地局に限られない。
【００３１】
共通制御チャネル受信部２１３は、受信した周辺基地局の共通制御チャネルを受信タイミング検出部２１５に出力する。
【００３２】
受信タイミング検出部２１５は、共通制御チャネル受信部２１３によって受信された共通制御チャネルの基地局２０１における受信タイミングを検出する。具体的には、受信タイミング検出部２１５は、チップ周期（３８４００チップ）内における時間的な位置に基づいて、当該受信タイミングを検出する。
【００３３】
また、受信タイミング検出部２１５は、共通制御チャネル受信部２１３によって共通制御チャネルを受信することができない周辺基地局（以下、受信不可基地局）に対して、当該受信不可基地局（例えば、基地局２０４）が送信する共通制御チャネルの送信タイミングを基地局２０４から取得する。なお、基地局２０４が送信する共通制御チャネルの送信タイミングは、基地局制御装置１００を介して基地局２０４から取得してもよいし、基地局制御装置１００が基地局２０４による共通制御チャネルの送信タイミングを認識している場合には、基地局制御装置１００から当該送信タイミングを取得してもよい。
【００３４】
受信タイミング検出部２１５は、取得した基地局２０４の共通制御チャネルの送信タイミングを、基地局２０４によって送信される共通制御チャネル（周辺共通制御チャネル）の基地局２０１における受信タイミングとして検出することができる。
【００３５】
送信タイミング制御部２１７は、受信タイミング検出部２１５によって検出された周辺共通制御チャネルの受信タイミングに基づいて、基地局２０１が送信する共通制御チャネルの送信タイミングを、周辺共通制御チャネルの受信タイミングと異なるように制御する。
【００３６】
具体的には、送信タイミング制御部２１７は、複数の周辺基地局によって送信される周辺共通制御チャネルのうち、基地局２０１と同一の無線パラメータが割り当てられている周辺基地局の周辺共通制御チャネルの受信タイミングに対して、基地局２０１の共通制御チャネルの送信タイミングが異なるように制御する。本実施形態では、同一の無線パラメータとは、基地局に割り当てられる拡散コード（ScC）を対象とする。
【００３７】
より具体的には、送信タイミング制御部２１７は、基地局２０１と同一の無線パラメータが割り当てられている周辺基地局の周辺共通制御チャネルの受信タイミングに対して、他の周辺共通制御チャネルよりも優先して基地局２０１の共通制御チャネルの送信タイミングが異なるように制御する。
【００３８】
また、送信タイミング制御部２１７は、基地局２０１と同一の無線パラメータ（ScC）が割り当てられている周辺基地局のうち、周辺共通制御チャネルの基地局２０１における受信レベルが高い周辺基地局によって送信される周辺共通制御チャネルの受信タイミングに対して、他の周辺共通制御チャネルよりも優先して基地局２０１の共通制御チャネルの送信タイミングが異なるように制御することもできる。
【００３９】
なお、基地局２０１によって送信される共通制御チャネルの送信タイミングの具体的な制御方法については、後述する。
【００４０】
（３）移動通信システムの動作
次に、上述した移動通信システムの動作について説明する。図３は、基地局２０１が新たに設置された場合における移動通信システムの全体動作シーケンスを示す。
【００４１】
図４は、基地局制御装置１００における共通制御チャネルの送信タイミングの決定動作フローを示す。
【００４２】
（３．１）移動通信システムの全体動作シーケンス
ここでは、基地局２００及び基地局２０１（Home Node B）に対して割り当て可能な専用の拡散コード数は、１つのみであるものとし、基地局２００及び基地局２０１には、同一の拡散コード（ScC）が割り当てられるものとする。
【００４３】
図３に示すように、基地局２０１は、既に設置されている基地局２００の周辺（例えば、同一の集合住宅内）に設置される。基地局２０１は、初期の立ち上げ動作を実行する（ステップＳ１０００）。
【００４４】
基地局２０１は、周辺基地局（ここでは、基地局２００及び基地局２０３）が送信している共通制御チャネルをサーチする（ステップＳ１００１）。ここでは、基地局２０１は、基地局２００及び基地局２０３が送信している共通制御チャネル（周辺共通制御チャネル）を受信する。
【００４５】
基地局２０１は、受信した共通制御チャネルの受信レベル（dBm）を測定する（ステップＳ１００２）。
【００４６】
基地局２０１は、自局の動作クロックと同期しているBFN（NodeB Specific Frame Number）を基準として、基地局２００及び基地局２０３から受信した共通制御チャネルの受信タイミングを検出する。（ステップＳ１００３）。具体的には、基地局２０１は、BFNを基準として、基地局２００及び基地局２０３の共通制御チャネルの受信タイミングが、どの程度の時間ずれているかを測定する。
【００４７】
図５は、共通制御チャネルの受信タイミング差の概念を示す。図５に示すように、基地局２０１は、自局のBFNのタイミングを基準として、基地局２００及び基地局２０３によって送信された共通制御チャネルの受信タイミング（SFN（Cell System Frame Number）のタイミング）との差分α（基地局２００）、及び差分β（基地局２０３）を測定する。
【００４８】
次いで、図３に示すように、基地局２０１は、基地局２００及び基地局２０３の共通制御チャネルの受信レベル、受信タイミング及び当該共通制御チャネルに使用されている拡散コード（ScC）を基地局制御装置１００に通知する（ステップＳ１００４）。
【００４９】
基地局制御装置１００は、通知された受信レベル、受信タイミング及び拡散コードに基づいて、基地局２０１における共通制御チャネルの送信タイミングを決定する（ステップＳ１００５）。なお、当該送信タイミングの決定動作については後述する。
【００５０】
基地局制御装置１００は、決定した共通制御チャネルの送信タイミングを基地局２０１に通知する（ステップＳ１００６）。
【００５１】
（３．２）共通制御チャネルの送信タイミングの決定動作
図４に示すように、基地局制御装置１００は、基地局２０１の周辺基地局（基地局２００及び基地局２０３）の拡散コード（ScC）を参照する（ステップＳ２０００）。
【００５２】
基地局制御装置１００は、基地局２０１と同一の拡散コードが割り当てられている周辺基地局（基地局２００）を抽出する（ステップＳ２００１）。
【００５３】
基地局制御装置１００は、同一の拡散コードが割り当てられている周辺基地局の受信レベルを参照する（ステップＳ２００２）。
【００５４】
基地局制御装置１００は、共通制御チャネルの受信レベルの高い周辺基地局を、他の周辺基地局よりも共通制御チャネルの受信タイミングの重複を回避する優先度が高い基地局として選択する（ステップＳ２００３）。
【００５５】
図６は、共通制御チャネルの受信タイミングの重複を回避する優先度の付与例を示す。図６に示すように、優先度付与テーブル５００は、拡散コードと、共通制御チャネルの受信レベル（単位：dBm）とによって構成される。優先度付与テーブル５００では、基地局２０１（自局）に拡散コード＃１が割り当てられている（優先度付与テーブル５００の１行目）ことを示している。自局と同一の拡散コード＃１が割り当てられている基地局２００（優先度付与テーブル５００の２行目）は、当該重複を回避する優先度が高い周辺基地局として選択される。また、次に当該優先度が高い基地局として共通制御チャネルの受信レベルの高い周辺基地局（優先度付与テーブル５００の３行目）が選択される。
【００５６】
図４に示すように、基地局制御装置１００は、上述した手順により、優先度の高い周辺基地局から順に受信タイミングを抽出し、当該受信タイミングを含む一定の時間幅を共通制御チャネルの送信禁止時間幅τとして設定する。基地局制御装置１００は、共通制御チャネルの送信タイミングの変更候補が１つのみ残った状態、または当該重複を回避すべき全ての周辺基地局に対して送信禁止時間幅τを決定する（ステップＳ２００４〜ステップＳ２００７）。
【００５７】
基地局制御装置１００は、共通制御チャネルの送信タイミングの候補が１つのみ残った状態の場合、残った送信タイミングを基地局２０１における共通制御チャネルの送信タイミングに決定する（ステップＳ２００８）。
【００５８】
一方、基地局制御装置１００は、当該重複を回避すべき全ての周辺基地局に対して送信禁止時間幅τを算出した場合、送信禁止時間幅τを除く送信タイミングの候補の中からランダムに送信タイミングを決定する（ステップＳ２００９）。
【００５９】
図７は、共通制御チャネルの送信タイミングの選択概念を示す。図７に示すように、基地局制御装置１００は、基地局２０１（自局）の周辺基地局として検出された基地局２００、基地局２０Ｘ及び基地局２０Ｙ（Home Node B）の共通制御チャネルの受信タイミングを含むそれぞれのτ時間を、共通制御チャネルの送信禁止範囲とする。基地局制御装置１００は、フレーム時間（10msec（38400チップ））から送信禁止時間幅τを除いた時間（時間６００、時間７００、時間８００及び時間９００）において、基地局２０１における共通制御チャネルの送信タイミングをランダムに決定する。なお、τ時間は、移動局３００において検出した無線信号を同一セル（基地局）から受信した信号として判定する時間幅に相当する。
【００６０】
（４）作用・効果
次に、上述した本実施形態に係る移動通信システムの作用及び効果について説明する。図８（ａ）及び（ｂ）は、基地局２０１に在圏している移動局３００が基地局２０１から送信された無線信号として検出するパス検出時間幅τ’の概念を示す。
【００６１】
図８（ａ）に示すように、移動局３００は、基地局２０１からの共通制御チャネルの受信タイミングを含むパス検出時間幅τ’内に受信した無線信号については、基地局２０１からの無線信号と判定する。従って、移動局３００は、同一の拡散コードが割り当てられている基地局２００及び基地局２０Ｘから送信された無線信号については、基地局２０１からの共通制御チャネルの受信タイミングからパス検出時間幅τ’以上ずれていれば、基地局２０１とは異なる基地局からの無線信号と判定するため、基地局２０１から送信される無線信号の復調誤りを回避できる。
【００６２】
一方、図８（ｂ）に示すように、同一の拡散コードが割り当てられている基地局２０１と基地局２０Ｘとにおいて、パス検出時間幅τ’内で共通制御チャネルの受信タイミングが重複すると、移動局３００は、基地局２０１及び基地局２０Ｘからの無線信号を基地局２０１からの無線信号と判定してしまうため、移動局３００は、両基地局からの無線信号の受信処理を実行し、復調誤りが発生する。
【００６３】
すなわち、上述した本実施形態に係る移動通信システムによれば、複数の周辺基地局によって送信される共通制御チャネル（周辺共通制御チャネル）のうち、自局と同一の拡散コードが割り当てられている周辺基地局の共通制御チャネルの受信タイミングに対して、自局の共通制御チャネルの送信タイミングが異なるように制御される。このため、周辺基地局間において使用する拡散コードが重複する場合でも、移動局３００は、無線信号を正常に復調でき、復調誤りの発生を回避できる。
【００６４】
本実施形態では、共通制御チャネルの受信レベルが高い周辺基地局からの当該共通制御チャネルの受信タイミングに対して、他の周辺基地局からの共通制御チャネルよりも優先して自局の共通制御チャネルの送信タイミングが異なるように制御される。このため、移動局３００での復調誤りが発生し易い周辺基地局からの共通制御チャネルの影響を確実に回避し得る。
【００６５】
本実施形態では、周辺基地局からの共通制御チャネルを受信できない場合でも、当該周辺基地局（受信不可基地局）からの共通制御チャネルの送信タイミングを取得し、取得した送信タイミングを当該周辺基地局からの共通制御チャネルを受信タイミングとして検出することができる。このため、自局において共通制御チャネルを受信できない場合でも、移動局３００の復調誤りを確実に回避し得る。
【００６６】
（５）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６７】
例えば、上述した実施形態では、無線パラメータとして拡散コードを用いる例を説明したが、拡散コードではなく、無線周波数やセル識別子を用いてもよい。
【００６８】
また、上述した実施形態では、W-CDMAを例として説明したが、本発明は、W-CDMAの次世代システムであるLTE（Long Term Evolution）にも適用できる。LTEの場合、基地局が上述した基地局制御装置１００の機能を備えればよい。また、基地局制御装置１００の各機能は、基地局と基地局制御装置１００とに分散して実装するようにしてもよい。
【００６９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００７０】
１０…移動通信事業者ネットワーク
２０…アクセス回線事業者ネットワーク
３０…移動通信ネットワーク
１００…基地局制御装置
２００〜２０４…基地局
２１１…共通制御チャネル送信部
２１３…共通制御チャネル受信部
２１５…受信タイミング検出部
２１７…送信タイミング制御部
３００…移動局
４００…ＳＧＷ
５００…優先度付与テーブル
６００，７００，８００…時間
Ｃ１，Ｃ２…セル
【図１】
2012085041.tif 000003
【図２】
2012085041.tif 000004
【図３】
2012085041.tif 000005
【図４】
2012085041.tif 000006
【図５】
2012085041.tif 000007
【図６】
2012085041.tif 000008
【図７】
2012085041.tif 000009
【図８】
2012085041.tif 000010